【手続補正書】
【提出日】平成19年1月16日(2007.1.16)
【手続補正１】
【補正対象書類名】明細書
【補正対象項目名】発明の名称
【補正方法】変更
【補正の内容】
【発明の名称】画像処理装置、画像処理システム、及び画像処理方法
【手続補正２】
【補正対象書類名】明細書
【補正対象項目名】特許請求の範囲
【補正方法】変更
【補正の内容】
【特許請求の範囲】
【請求項１】  被写体を撮像素子により撮像して、当該被写体の画像信号を取得する画像処理装置であって、
上記撮像素子における撮像画角に対応した動作モードを決定する画角制御手段と、
上記画角制御手段により決定された動作モードに基づいた画素数の信号を、上記撮像素子から読み出す撮像素子駆動手段と、
上記撮像素子駆動手段による上記撮像素子の出力信号を、予め定められた記録フォーマットで規定される画素数の画像信号に変換する画像処理手段と、
上記画像処理手段により得られた画像信号を出力する出力手段とを備えることを特徴とする画像処理装置。
【請求項２】  被写体を撮像素子により撮像して、当該被写体の画像信号を取得する画像処理装置であって、
上記撮像素子における撮像画角に対応した動作モードを決定する画角制御手段と、
上記画角制御手段により決定された動作モードに基づいた画素数の信号を、上記撮像素子から読み出す撮像素子駆動手段と、
上記撮像素子駆動手段による上記撮像素子の出力信号を、予め定められた記録フォーマットで規定される画素数の画像信号に変換する第１の画像処理手段と、
上記撮像素子駆動手段による上記撮像素子の出力信号を、任意の画素数の画像信号に変換する第２の画像処理手段と、
上記第１の画像処理手段及び上記第２の画像処理手段の少なくとも何れかにより得られた画像信号を出力する出力手段とを備えることを特徴とする画像処理装置。
【請求項３】  上記撮像素子は、上記予め定められた記録フォーマットで規定される画素数よりも多い画素数を有する撮像面を備え、
上記撮像素子駆動手段は、上記撮像素子の撮像面の任意の領域内の画素の信号を読み出すことを特徴とする請求項１又は２記載の画像処理装置。
【請求項４】  上記出力手段から出力された画像信号を任意の記録媒体に記録する記録手段を備えることを特徴とする請求項１又は２記載の画像処理装置。
【請求項５】  上記撮像素子駆動手段は、上記画角制御手段により決定された動作モードに基づいて、上記予め定められた記録フォーマットで規定される画素数より少ない画素数の信号を上記撮像素子から読み出し、
上記画像処理手段又は上記第１の画像処理手段は、上記撮像素子駆動手段による上記撮像素子の出力信号に対して、上記予め定められた記録フォーマットに対応した拡大率での拡大処理を施すことを特徴とする請求項１又は２記載の画像処理装置。
【請求項６】  上記撮像素子駆動手段は、上記予め定められた記録フォーマットで規定される垂直走査期間と等しい期間で、上記撮像素子の垂直走査を行うことを特徴とする請求項５記載の画像処理装置。
【請求項７】  上記撮像素子駆動手段は、上記撮像素子から走査線単位で画素の信号を間欠的に読み出すことを特徴とする請求項６記載の画像処理装置。
【請求項８】  上記撮像素子駆動手段は、上記画角制御手段により決定された動作モードに基づいて、上記予め定められた記録フォーマットで規定される画素数より多い画素数の信号を上記撮像素子から読み出し、
上記画像処理手段又は上記第１の画像処理手段は、上記撮像素子駆動手段による上記撮像素子の出力信号に対して、上記予め定められた記録フォーマットに対応した縮小率での縮小処理を施すことを特徴とする請求項１又は２記載の画像処理装置。
【請求項９】  上記撮像素子駆動手段は、上記予め定められた記録フォーマットで規定される垂直走査期間とは異なる期間で、上記撮像素子の垂直走査を行い、
上記画像処理手段又は上記第１の画像処理手段は、上記予め定められた記録フォーマットで規定される垂直走査期間に合致した縮小画像信号を生成することを特徴とする請求項８記載の画像処理装置。
【請求項１０】  上記撮像素子駆動手段は、上記撮像素子の垂直走査期間を、上記予め定められた記録フォーマットで規定される垂直走査期間に対して、ｎ（自然数）／ｍ（自然数）倍の期間として、上記撮像素子を駆動することを特徴とする請求項８記載の画像処理装置。
【請求項１１】  上記撮像素子駆動手段は、上記撮像素子から走査線単位で画素の信号を連続的に読み出すことを特徴とする請求項８記載の画像処理装置。
【請求項１２】  上記撮像素子駆動手段は、上記撮像素子の駆動周波数及び水平走査周波数を常に同一とすることを特徴とする請求項１又は２記載の画像処理装置。
【請求項１３】  上記撮像素子駆動手段は、垂直ブランキング期間に上記撮像素子における予め定められた走査線群を構成する画素の信号を破棄することを特徴とする請求項１又は２記載の画像処理装置。
【請求項１４】  上記画像処理手段、上記第１の画像処理手段、及び上記第２の画像処理手段の少なくとも何れかの手段は、上記撮像素子の出力信号を格納する画像バッファを有し、上記撮像素子の出力信号のうち、上記撮像素子の撮像面の任意の領域内に属する画素の信号のみを上記画像バッファへ格納して処理対象の信号とすることを特徴とする請求項１又は２記載の画像処理装置。
【請求項１５】  上記画像処理手段、上記第１の画像処理手段、及び上記第２の画像処理手段の少なくとも何れかの手段は、上記画像バッファの信号書込動作の周波数を、上記撮像素子の信号読出周波数と同一とし、上記画像バッファの信号読出動作の周波数を、当該手段の信号出力動作の周波数と同一とすることを特徴とする請求項１４記載の画像処理装置。
【請求項１６】  上記画像処理手段、上記第１の画像処理手段、及び上記第２の画像処理手段の少なくとも何れかの手段は、上記画像バッファの信号書込動作の垂直走査周期を、上記撮像素子の垂直走査周期と同一とし、上記画像バッファの信号読出動作の垂直走査周期を、当該手段の垂直走査周期と同一とすることを特徴とする請求項１４記載の画像処理装置。
【請求項１７】  上記第１の画像処理手段は、上記画角制御手段により決定された動作モードに基づいて、上記撮像素子駆動手段による上記撮像素子の全画素の出力信号から、上記予め定められた記録フォーマットに合致した画像信号を生成することを特徴とする請求項２記載の画像処理装置。
【請求項１８】  上記撮像素子駆動手段は、上記画角制御手段により決定された動作モードに基づいて、上記予め定められた記録フォーマットで規定される垂直走査期間とは異なる期間で、上記撮像素子の垂直走査を行い、
上記第１及び第２の画像処理手段は、上記撮像素子駆動手段による上記撮像素子の出力信号から、静止画像信号を生成することを特徴とする請求項２記載の画像処理装置。
【請求項１９】  複数の機器が通信可能に接続されてなる画像処理システムであって、
上記複数の機器のうち少なくとも１つの機器は、請求項１乃至１８の何れか１項記載の画像処理装置の機能を有することを特徴とする画像処理システム。
【請求項２０】  被写体を撮像素子により撮像して、当該被写体の画像信号を取得するための画像処理方法であって、
撮影する画角を決定する画角決定ステップと、
上記画角決定ステップにより決定された画角に対応した動作モードを決定する画角制御ステップと、
上記画角制御ステップにより決定された動作モードに応じた画素数の信号を、上記撮像素子から読み出す撮像素子駆動ステップと、
上記撮像素子駆動ステップによる上記撮像素子の出力信号を利用して、予め定められた記録フォーマットで規定される画素数の画像信号を取得する画像処理ステップと、
上記画像処理ステップにより得られた画像信号を出力する出力ステップとを含むことを特徴とする画像処理方法。
【手続補正３】
【補正対象書類名】明細書
【補正対象項目名】０００１
【補正方法】変更
【補正の内容】
【０００１】
【発明の属する技術分野】
本発明は、例えば、撮像素子により被写体を撮像して当該被写体のディジタル画像情報を取得する装置或いはシステムに用いられる、画像処理装置、画像処理システム、及び画像処理方法に関するものである。
【手続補正４】
【補正対象書類名】明細書
【補正対象項目名】０００９
【補正方法】変更
【補正の内容】
【０００９】
そこで、本発明は、上記の欠点を除去するために成されたもので、Ｓ／Ｎの劣化や消費電力の増大を招くことなく、且つ静止画と動画とで撮影画角が変わってしまうことなく、高精細な画像を提供できる画像処理装置、画像処理システム、及び画像処理方法を提供することを目的とする。
【手続補正５】
【補正対象書類名】明細書
【補正対象項目名】００１０
【補正方法】変更
【補正の内容】
【００１０】
【課題を解決するための手段】
斯かる目的下において、第１の発明は、被写体を撮像素子により撮像して、当該被写体の画像信号を取得する画像処理装置であって、上記撮像素子における撮像画角に対応した動作モードを決定する画角制御手段と、上記画角制御手段により決定された動作モードに基づいた画素数の信号を、上記撮像素子から読み出す撮像素子駆動手段と、上記撮像素子駆動手段による上記撮像素子の出力信号を、予め定められた記録フォーマットで規定される画素数の画像信号に変換する画像処理手段と、上記画像処理手段により得られた画像信号を出力する出力手段とを備えることを特徴とする。
【手続補正６】
【補正対象書類名】明細書
【補正対象項目名】００１１
【補正方法】変更
【補正の内容】
【００１１】
第２の発明は、被写体を撮像素子により撮像して、当該被写体の画像信号を取得する画像処理装置であって、上記撮像素子における撮像画角に対応した動作モードを決定する画角制御手段と、上記画角制御手段により決定された動作モードに基づいた画素数の信号を、上記撮像素子から読み出す撮像素子駆動手段と、上記撮像素子駆動手段による上記撮像素子の出力信号を、予め定められた記録フォーマットで規定される画素数の画像信号に変換する第１の画像処理手段と、上記撮像素子駆動手段による上記撮像素子の出力信号を、任意の画素数の画像信号に変換する第２の画像処理手段と、上記第１の画像処理手段及び上記第２の画像処理手段の少なくとも何れかにより得られた画像信号を出力する出力手段とを備えることを特徴とする。
【手続補正７】
【補正対象書類名】明細書
【補正対象項目名】００１２
【補正方法】変更
【補正の内容】
【００１２】
第３の発明は、上記第１又は２の発明において、上記撮像素子は、上記予め定められた記録フォーマットで規定される画素数よりも多い画素数を有する撮像面を備え、上記撮像素子駆動手段は、上記撮像素子の撮像面の任意の領域内の画素の信号を読み出すことを特徴とする。
【手続補正８】
【補正対象書類名】明細書
【補正対象項目名】００１４
【補正方法】変更
【補正の内容】
【００１４】
第５の発明は、上記第１又は２の発明において、上記撮像素子駆動手段は、上記画角制御手段により決定された動作モードに基づいて、上記予め定められた記録フォーマットで規定される画素数より少ない画素数の信号を上記撮像素子から読み出し、上記画像処理手段又は上記第１の画像処理手段は、上記撮像素子駆動手段による上記撮像素子の出力信号に対して、上記予め定められた記録フォーマットに対応した拡大率での拡大処理を施すことを特徴とする。
【手続補正９】
【補正対象書類名】明細書
【補正対象項目名】００１５
【補正方法】変更
【補正の内容】
【００１５】
第６の発明は、上記第５の発明において、上記撮像素子駆動手段は、上記予め定められた記録フォーマットで規定される垂直走査期間と等しい期間で、上記撮像素子の垂直走査を行うことを特徴とする。
【手続補正１０】
【補正対象書類名】明細書
【補正対象項目名】００１７
【補正方法】変更
【補正の内容】
【００１７】
第８の発明は、上記第１又は２の発明において、上記撮像素子駆動手段は、上記画角制御手段により決定された動作モードに基づいて、上記予め定められた記録フォーマットで規定される画素数より多い画素数の信号を上記撮像素子から読み出し、上記画像処理手段又は上記第１の画像処理手段は、上記撮像素子駆動手段による上記撮像素子の出力信号に対して、上記予め定められた記録フォーマットに対応した縮小率での縮小処理を施すことを特徴とする。
【手続補正１１】
【補正対象書類名】明細書
【補正対象項目名】００１８
【補正方法】変更
【補正の内容】
【００１８】
第９の発明は、上記第８の発明において、上記撮像素子駆動手段は、上記予め定められた記録フォーマットで規定される垂直走査期間とは異なる期間で、上記撮像素子の垂直走査を行い、上記画像処理手段又は上記第１の画像処理手段は、上記予め定められた記録フォーマットで規定される垂直走査期間に合致した縮小画像信号を生成することを特徴とする。
【手続補正１２】
【補正対象書類名】明細書
【補正対象項目名】００１９
【補正方法】変更
【補正の内容】
【００１９】
第１０の発明は、上記第８の発明において、上記撮像素子駆動手段は、上記撮像素子の垂直走査期間を、上記予め定められた記録フォーマットで規定される垂直走査期間に対して、ｎ（自然数）／ｍ（自然数）倍の期間として、上記撮像素子を駆動することを特徴とする。
【手続補正１３】
【補正対象書類名】明細書
【補正対象項目名】００２２
【補正方法】変更
【補正の内容】
【００２２】
第１３の発明は、上記第１又は２の発明において、上記撮像素子駆動手段は、垂直ブランキング期間に上記撮像素子における予め定められた走査線群を構成する画素の信号を破棄することを特徴とする。
【手続補正１４】
【補正対象書類名】明細書
【補正対象項目名】００２６
【補正方法】変更
【補正の内容】
【００２６】
第１７の発明は、上記第２の発明において、上記第１の画像処理手段は、上記画角制御手段により決定された動作モードに基づいて、上記撮像素子駆動手段による上記撮像素子の全画素の出力信号から、上記予め定められた記録フォーマットに合致した画像信号を生成することを特徴とする。
【手続補正１５】
【補正対象書類名】明細書
【補正対象項目名】００２７
【補正方法】変更
【補正の内容】
【００２７】
第１８の発明は、上記第２の発明において、上記撮像素子駆動手段は、上記画角制御手段により決定された動作モードに基づいて、上記予め定められた記録フォーマットで規定される垂直走査期間とは異なる期間で、上記撮像素子の垂直走査を行い、上記第１及び第２の画像処理手段は、上記撮像素子駆動手段による上記撮像素子の出力信号から、静止画像信号を生成することを特徴とする。
【手続補正１６】
【補正対象書類名】明細書
【補正対象項目名】００２９
【補正方法】変更
【補正の内容】
【００２９】
第２０の発明は、被写体を撮像素子により撮像して、当該被写体の画像信号を取得するための画像処理方法であって、撮影する画角を決定する画角決定ステップと、上記画角決定ステップにより決定された画角に対応した動作モードを決定する画角制御ステップと、上記画角制御ステップにより決定された動作モードに応じた画素数の信号を、上記撮像素子から読み出す撮像素子駆動ステップと、上記撮像素子駆動ステップによる上記撮像素子の出力信号を利用して、予め定められた記録フォーマットで規定される画素数の画像信号を取得する画像処理ステップと、上記画像処理ステップにより得られた画像信号を出力する出力ステップとを含むことを特徴とする。
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】削除
【補正の内容】
【手続補正３５】
【補正対象書類名】明細書
【補正対象項目名】００４８
【補正方法】削除
【補正の内容】
【手続補正３６】
【補正対象書類名】明細書
【補正対象項目名】００４９
【補正方法】削除
【補正の内容】
【手続補正３７】
【補正対象書類名】明細書
【補正対象項目名】００５０
【補正方法】削除
【補正の内容】
【手続補正３８】
【補正対象書類名】明細書
【補正対象項目名】００５１
【補正方法】削除
【補正の内容】
【手続補正３９】
【補正対象書類名】明細書
【補正対象項目名】００５２
【補正方法】削除
【補正の内容】
【手続補正４０】
【補正対象書類名】明細書
【補正対象項目名】００５３
【補正方法】削除
【補正の内容】
【手続補正４１】
【補正対象書類名】明細書
【補正対象項目名】００５４
【補正方法】削除
【補正の内容】
【手続補正４２】
【補正対象書類名】明細書
【補正対象項目名】００５５
【補正方法】削除
【補正の内容】
【手続補正４３】
【補正対象書類名】明細書
【補正対象項目名】００５６
【補正方法】削除
【補正の内容】
【手続補正４４】
【補正対象書類名】明細書
【補正対象項目名】００５７
【補正方法】削除
【補正の内容】
【手続補正４５】
【補正対象書類名】明細書
【補正対象項目名】００５８
【補正方法】削除
【補正の内容】
【手続補正４６】
【補正対象書類名】明細書
【補正対象項目名】００５９
【補正方法】削除
【補正の内容】
【手続補正４７】
【補正対象書類名】明細書
【補正対象項目名】００６０
【補正方法】削除
【補正の内容】
【手続補正４８】
【補正対象書類名】明細書
【補正対象項目名】００６１
【補正方法】削除
【補正の内容】
【手続補正４９】
【補正対象書類名】明細書
【補正対象項目名】００６２
【補正方法】削除
【補正の内容】
【手続補正５０】
【補正対象書類名】明細書
【補正対象項目名】００６３
【補正方法】削除
【補正の内容】
【手続補正５１】
【補正対象書類名】明細書
【補正対象項目名】００６４
【補正方法】削除
【補正の内容】
【手続補正５２】
【補正対象書類名】明細書
【補正対象項目名】００６５
【補正方法】削除
【補正の内容】